(57)【要約】【課題】  主制御装置と遊技制御装置を容易に脱着でき、遊技場管理者によって遊技条件の変更が容易にでき、遊技者などによっては、容易に変更できないスロットマシンを提供する。【解決手段】  確率変動条件により遊技状態が変化するスロットマシンの遊技ユニット８の背部に主制御装置ユニット８０１が、一方の側部に遊技制御装置ユニット９００が、他方の側部と中枠との間に電源装置が、それぞれ配設されている。遊技制御装置ユニット９００は、遊技ユニット８の側部に設けた取りつけガイドレール３３の溝３９に沿って当該遊技ユニット８の後部から着脱可能に固定されている。電源装置は、当該スロットマシン前面から調整可能な、少なくとも前記確率変動条件を変更する確率変動条件変更手段を具備している制御パネルを備え、該制御パネルは、遊技ユニット８を閉じたときに遊技ユニット８によって覆われる。【選択図】        図４
2005168843.tif 000002
【特許請求の範囲】
【請求項１】
確率変動条件により遊技状態が変化するスロットマシンの遊技機枠に収納される枠体が前枠、中枠、外枠とで構成され、前記前枠および中枠は、前記外枠に対して一方の端が回転可動に当該スロットマシン前面に同方向に片開き可能に取付けられ、回転変動表示する複数個の回胴表示装置ユニットを内蔵した遊技ユニットが前記中枠に配設され、
前記遊技ユニットの背部にスロットマシンの遊技制御を行なう主制御基板を有する主制御装置ユニットを、
前記中枠と前枠が回転可動に取付けられている側に、図柄制御、ランプ制御、音声制御を行う遊技制御基板を有する遊技制御装置ユニットを配設すると共に、
前記遊技制御装置ユニットが配設されている側と反対側の前記遊技ユニットの側部と前記中枠との間に電源ユニットを、それぞれ配設し、
前記遊技制御装置ユニットは、前記遊技ユニットの側部に設けた取りつけ溝に沿って当該遊技ユニットの後部から着脱可能に固定されていることを特徴とするスロットマシン。
【請求項２】
前記電源ユニットは、当該スロットマシン前面から調整可能な制御パネルを備え、該制御パネルには、少なくとも前記確率変動条件を変更する確率変動条件変更手段が備えられると共に、当該制御パネルは前記遊技ユニットを閉じたときに該遊技ユニットによって覆われることを特徴とする請求項１に記載のスロットマシン。
【発明の詳細な説明】
【技術分野】
【０００１】
本発明は、スロットマシンに関し、特に、遊技制御装置ユニットの交換とスロットマシンの遊技条件の変更を容易にするスロットマシンに関するものである。
【背景技術】
【０００２】
従来、可変表示ゲームを行う可変表示ドラム装置が収容された本体ケースの前側開口部に、ゲームを視認するための窓が設けられていて、所定数の球を一単位として所望単位ずつ賭けてゲームを行う、スロットマシンの如き遊技装置が知られている（例えば、特許文献１参照。）。この種の遊技装置に、例えば、パチンコ球を用いてゲームを行わせるようにすれば同じ遊技場内においてパチンコ機と共通の剛球を使用できるので、パチンコ遊技店内のパチンコ球補給装置及び計数装置並びに中央管理装置（集中管理装置）を廃棄することなく共用できる。従って、同一の島設備に、パチンコ機と、パチンコ球を用いたスロットマシンの如き遊技装置などを混在させることができるという利点があり、パチンコ球を用いたスロットマシンがある（例えば、特許文献２参照。）。
【０００３】
このようなスロットマシンでは、遊技内容が陳腐化することを防止するため、定期的に制御装置の交換が行われる。その際、交換の費用を低減するために、島設備にスロットマシンを取り付けたまま制御装置のみを交換できることが望ましい。前記特許文献２に開示されている遊技装置は、図９に示すように、本体ケース２００は、天板２０５、底板２０６、左右の側板２０７、２０８および背面板２０９により、上下左右および背面部が囲まれた箱型ケースとして構成されている。本体ケース２００と、該本体ケース２００の前側開口部にヒンジを介して開閉可能に取り付けられた図示していない前面枠とを備えている。本体ケース２００内の中段には棚板３６が懸け渡され、該棚板３６上に可変表示ゲームを行なわせる可変表示ドラム装置６００が設置されている。本体ケース２００内の上段には賞球用の球を貯留するメインタンク（貯留タンク）４１０、サブタンク（貯留タンク）４２０および賞球排出樋４３０が順次連通した状態で設置されている。本体ケース２００の天板２０５には該メインタンク４１０中に球補給を行なうための補給用開口部２０１が設けられている。本体ケース２００内の左寄りには球抜き樋５５０が設置され、下段には、遊技装置の制御を行なうメイン制御装置２５０が、下段右側には、メイン制御装置２５０に電気を供給する電源ユニット３７０が設置されている。可変表示ドラム装置６００は、メイン制御装置２５０と線２９９により接続されている。前記前面枠の前面側上部にはパネル表示部が設けられている。このパネル表示部の中央には可変表示部としての３つの可変表示窓が設けられ、可変表示ドラム装置６００の回転図柄が表示される。
【０００４】
【特許文献１】特開昭６２−２４６３９０号公報
【特許文献２】特開平５−１１５５９７号公報
【発明の開示】
【発明が解決しようとする課題】
【０００５】
前記特許文献２に開示されている遊技装置では、メイン制御装置２５０が可変表示ドラム装置６００の下部に配設されている。前記メイン制御装置２５０は、当該遊技装置の遊技制御を行い、当該遊技装置の遊技態様を変更する場合には、メイン制御装置２５０を取外し、交換せねばならない。一方、近年のスロットマシンでは、確率変動条件により遊技状態を変化するタイプのものが多く、かかるタイプのスロットマシンでは、遊技制御を行なう主制御基板を有する主制御装置と、図柄制御、ランプ制御、音声制御を行う遊技制御装置とを分離して設ける傾向にある。このようなスロットマシンでは、前記のように、遊技内容が陳腐化することを防止するため、定期的に行う主制御装置と遊技制御装置の交換を、スロットマシンを島設備に取り付けたまま前記制御装置のみ交換できることが望ましい。さらに、遊技場の経営方針等によってスロットマシンの遊技条件である確率変動条件を変える場合がある。このような場合、前記同様に島設備にスロットマシンを取り付けたまま、前記条件を変更できることが望ましく、更に、この変更は、悪意によって容易に変更できないことが必要である。
本発明は、上記要望、課題を解決するためになされたもので、主制御装置と遊技制御装置を容易に脱着できると共に、遊技場管理者によって遊技条件の変更が容易にできると共に、遊技者などの悪意によっては、容易に変更できないスロットマシンを提供することを目的とする。
【課題を解決するための手段】
【０００６】
確率変動条件により遊技状態が変化するスロットマシンの遊技機枠に収納される枠体が前枠、中枠、外枠とで構成され、前記前枠および中枠は、前記外枠に対して一方の端が回転可動に当該スロットマシン前面に同方向に片開き可能に取付けられ、回転変動表示する複数個の回胴表示装置ユニットを内蔵した遊技ユニットが前記中枠に配設され、前記遊技ユニットの背部にスロットマシンの遊技制御を行なう主制御基板を有する主制御装置ユニットを、前記中枠と前枠が回転可動に取付けられている側に、図柄制御、ランプ制御、音声制御を行う遊技制御基板を有する遊技制御装置ユニットを配設すると共に、前記遊技制御装置ユニットが配設されている側と反対側の前記遊技ユニットの側部と前記中枠との間に電源ユニットを、それぞれ配設し、前記遊技制御装置ユニットは、前記遊技ユニットの側部に設けた取りつけ溝に沿って当該遊技ユニットの後部から着脱可能に固定されていることを特徴とする。
【０００７】
また、前記電源ユニットは、当該スロットマシン前面から調整可能な制御パネルを備え、該制御パネルには、少なくとも前記確率変動条件を変更する確率変動条件変更手段が備えられると共に、当該制御パネルは前記遊技ユニットを閉じたときに該遊技ユニットによって覆われることを特徴とする。
【発明の効果】
【０００８】
本発明は、回胴表示装置、主制御装置、遊技制御装置、電源ユニット等をそれぞれユニット化して、該ユニットをワンタッチ式の止着装置によりそれぞれ固定し、それぞれ独立して着脱可能であることによって、スロットマシンの組立、修理、交換を容易にしたものである。特に、遊技制御装置は、遊技ユニットの側部に設けた取りつけ溝に沿って当該遊技ユニットの後部から着脱可能に固定されていることによって、スロットマシンの前枠および中枠を開くことにより、修理、交換を容易にする効果を有する。
【０００９】
また、前記電源ユニットは、制御パネルを備え、該制御パネルには、少なくとも前記確率変動条件を変更する確率変動条件変更手段を具備していることにより、スロットマシンの遊技条件である確率変動条件の変更を島設備にスロットマシンを取り付けたまま、スロットマシンの前面から行える。更に、前記遊技ユニットが前記中枠に回転可動に固定されている側の側部に、図柄制御、ランプ制御、音声制御を行う遊技制御基板を有する遊技制御装置ユニットを配設し、前記遊技制御装置ユニットが配設されている側と反対側の前記遊技ユニットの側部と前記中枠との間に電源ユニットを配設することにより、外枠に対して一方の端が回転可動に固定されていない側に前記制御パネルが配設され、遊技場管理者は、確率変動条件の変更作業時に充分な作業空間を得ることができ、作業性が向上する。そして前記制御パネルは、遊技ユニットを閉じたときに該遊技ユニットによって覆われるように作用し、遊技者などの悪意によって容易に変更できない効果がある。
【発明を実施するための最良の形態】
【００１０】
図１乃至図８に基づいて本発明の実施形態のスロットマシンについて説明する。遊技機枠１００は、図１に示すような皿装置２０を備えた前枠２と、後部枠１（中枠１２と外枠９）とで構成され、前枠２が上、下ヒンジ３、４を介して後部枠１に対して片開き可能に取付けられている。この遊技機枠１００に、図示していない遊技制御装置ユニット、球取込装置及び回胴表示装置ユニット６、遊技ユニット８、その他の遊技部品で構成されるスロットマシン本体が搭載されてスロットマシンが構成される。
【００１１】
後部枠１は、島等と呼称される遊技機設置設備に設置される外枠９と、この外枠９に上、下ヒンジ１０、１１を介して外枠９に対して前枠２と同方向に片開き可能に取付けられた中枠１２とで構成される。前枠２の上ヒンジ３は、中枠１２の左上隅部のヒンジ部材１３に設けられた孔１４と、前枠２の左上隅部のヒンジ部材１５の内部に設けられて上記孔１４に回転可能に挿着される図示されていない軸とで構成されている。下ヒンジ４は、前枠２の左下隅部のヒンジ部材１６に設けられた孔１７と中枠１２の左下隅部の図示されていないヒンジ部材に設けられて上記孔１７に回転可能に挿着される図示されていない軸とで構成されている。上、下ヒンジ１０、１１（図２参照。）も同様に、外枠９と中枠１２の左上隅部に設けられた一対の図示されていない孔と軸とにより上ヒンジ１０が構成され、外枠９と中枠１２の左下隅部に設けられた一対の図示されていない孔と軸とにより下ヒンジ１１が構成されている。
【００１２】
前枠２は下部に皿装置２０を備え、上部には中央が開口部２１に形成された前面装飾部２２を備える。前面装飾部２２は開口部２１の両側にサイドランプ２３ｓ、２３ｓを備え、開口部２１の上部にトップランプ２３ｔを備え、トップランプ２３ｔを挟むように左右両側に高音スピーカ２４、２４を備える。高音スピーカ２４、２４は、遊技者が音を聞き取りやすいように、やや内方に傾けて配置されている。開口部２１は、纂２５を介して区画された上部開口部２６と下部開口部２７とを備える。中枠１２の右側部中央の前側には錠２８が設けられ、この錠２８に図示されていない専用の鉤を差し込んで左に回動することにより、前枠２と中枠１２との間のロックが解除されて、前枠２がヒンジ３、４を支点として片開き可能となる。また、錠２８を右に回動すると中枠１２と外枠９との間のロックが解除されて中枠１２がヒンジ１０、１１を支点として前枠２とともに片開き可能となる。
【００１３】
皿装置２０は、前枠２の前面装飾部２２より前方に突出し、下方に行くにしたがってその横幅が狭くなる形態に形成されている。皿装置２０の球収納部３１は、上部開放形状に形成され、球収納部３１は、図示されていない球貸機の球排出ノズルからの貸球を受ける。球取込装置７は、前枠２の裏面に取付けられている。皿装置２０の前面には、遊技開始指示手段としてのスタートレバースイッチ部５１と、このスタートレバースイッチ部５１からのスタート信号を入力した制御装置ユニット８０１（図３参照。）により複数の回胴装置ユニット６（図１、図２参照。）の回転をそれぞれ停止させて表示窓８３（図２参照。）に図柄を停止させる第１図柄停止ボタンスイッチ部６０、第２図柄停止ボタンスイッチ部６１、第３図柄停止ボタンスイッチ部６２とを備えている。
【００１４】
皿装置２０の上面には、最大の賭球数（ＭＡＸＢＥＴ）を設定するＭＡＸＢＥＴボタンスイッチ部７１、ＭＡＸＢＥＴよりも小さな賭球数を設定する１ＢＥＴボタンスイッチ部７２、賭球数の設定を取り消すキャンセルボタンスイッチ部７３、遊技者が獲得あるいは投入した球を精算して球を回収するための設定手段である球抜きボタンスイッチ部７４がそれぞれ並べて設けられている。なお、１ＢＥＴボタンスイッチ部７２は、スタートレバースイッチ部５１の操作によるゲーム開始前に設定するものであり、１回目の設定で１ＢＥＴの設定、２回目の設定で２ＢＥＴの設定、３回目の設定で３ＢＥＴ即ちＭＡＸＢＥＴの設定が可能となる。ＭＡＸＢＥＴ設定後１ＢＥＴ、２ＢＥＴに設定し直したい場合にはキャンセルボタンスイッチ部７３を操作することにより、１ＢＥＴボタンスイッチ部７２は初期状態にリセットされ１ＢＥＴの設定が可能となる。
【００１５】
中枠１２は、その上部に遊技ユニット８を収納する遊技ユニット収納部９９を有する。遊技ユニット８は、制御装置ユニット８０１、回胴表示装置ユニット６、液晶表示器６Ａ、賞数（ＰＡＹＯＵＴ）表示器９２、ボーナス（ＢＯＮＵＳ）ゲームのゲーム回数又は残ゲーム回数を表示する表示器９３、クレジット球数を表示するクレジット表示器９４、取込球数を表示する表示器、即ち、賭球数表示器９５が配設されている（図２、図３参照。）。また、図２に示すように、中枠１２の低音スピーカ７５が設けられている位置の左横には、前枠２の裏面に取付けられた球取込装置７を収納するための収納孔７９が形成されている。
【００１６】
中枠１２の下部には、低音スピーカ７５等の様々な遊技部品が取付けられている。中枠１２には遊技ユニット８が取付部７６を介して取付けられ、遊技ユニット８のデザインパネル付き保護板８Ａは、前枠２の開口部２１を介して遊技者に見えるようになっている。図１に示すように、遊技ユニット８は、デザインパネル付き保護板８Ａと、このデザインパネル付き保護板８Ａが取付けられた遊技パネル取付枠８Ｂと、取付枠８Ｃとで構成されている。遊技ユニット８は、遊技パネル取付枠８Ｂが取付枠８Ｃに蝶番により前枠２と同方向に片開き可能に取りつけられ、遊技パネル取付枠８Ｂは、デザインパネル付き保護板８Ａにより表面を覆われている（図１参照。）。
【００１７】
前記デザインパネル付き保護板８Ａは、表示窓８２、８３及び前記表示器９２、９３、９４、９５等の開口窓９２ａ、９３ａ、９４ａ、９５ａ以外を塗料などで塗装して内部が見えないように構成されたデザインパネルと、透明の樹脂、あるいはガラス板などで構成され、前記デザインパネルと同じ形状の保護板で構成されている。表示窓８２、８３及び前記表示器９２、９３、９４、９５等の開口窓９２ａ、９３ａ、９４ａ、９５ａを介して回胴表示装置ユニット６の各回胴リールに設けられた変動図柄及び回胴リールが停止した場合の停止図柄、液晶表示装置６Ａ、表示器９２、９３、９４、９５等の表示を遊技者が見ることができる。デザインパネル付き保護板８Ａは、遊技パネル取付枠８Ｂに設けられた係止用の爪８２ａにより前面から係止される。
【００１８】
前記蝶番が設けられている反対側（中枠１２の左上隅部のヒンジ部材１３が設けられている反対側）の取付枠８Ｃと遊技パネル取付枠８Ｂとが対向する位置に図示されていないマグネットが配設され、該マグネットが互いに吸着して取付枠８Ｃと遊技パネル取付枠８Ｂとを保持する。取付枠８Ｃと遊技パネル取付枠８Ｂとは、つまみ７７を引くことにより前記マグネットが離され片開きに開閉される。取付枠８Ｃは、上部両側に位置決め孔７６ａ及び係止部８２ｂを備えていると共に、その背面に遊技ユニット８を収納する函体４２（図３、図４参照。）が形成されている。該函体４２は、取付枠８Ｃと一体に成型して作成してもよく、あるいは、別体で作成し、取付枠８Ｃに取り付けるようにしてもよい。函体４２の取付枠８Ｃに備えられた蝶番が設けられている側には、遊技制御装置ユニット９００が、マグネットが設けられている側には電源ユニット９１０が、それぞれ備えられている。中枠１２には、前記係止部８２ｂと係合する係合部８００が設けられていて、該係合部８００は、つまみにより回転し前記係止部８２ｂの先端と係合し、中枠１２の遊技ユニット収納部９９に収納される遊技ユニット８を固定する。このように、係合部８００を回動させるだけで簡単に遊技ユニット８を中枠１２に取付けることができる。
【００１９】
図３に示すように、前記函体４２の背面には、複数個の回胴表示装置ユニット６を制御する信号線９０ａ、回胴表示装置ユニット６の回胴部を内部から照明するランプを点灯する電源線９０ｂを通す切り欠き部７０が形成されている。函体４２の上部には中継基板９２ａ、９２ｂが、それぞれ設けられ、函体４２の背面の切り欠き部７０の横には、中継基板９２ｃが設けられている。前記信号線９０（９０ａ、９０ｂ）は、制御装置ユニット８０１から出力され中継基板９２ａを介して前記切り欠き部７０に通される。更に、函体４２の背面の切り欠き部７０下方には、制御装置ユニット８０１が周知のスナップラッチ（登録商標）あるいはナイラッチ（登録商標）と呼ばれるワンタッチ式の止着装置８０３（上部のみ図示し、下部のワンタッチ式の止着装置は図示されていない。）により、着脱可能に取りつけられている。制御装置ユニット８０１の主制御基板８０５の一部は、保護ケース８０４により覆われている。
【００２０】
前記制御装置ユニット８０１からは、ソケット９１ａを介して中継基板９２ａに設けられたソケット９１ｂに信号線９１が出力されている。該信号線９１は、中継基板９２ａ内で複数個の回胴表示装置ユニット６それぞれに信号を供給できるように分配され、ソケット９０２ａ、９０２ｂ、９０２ｃに出力されている。該ソケット９０２ａ、９０２ｂ、９０２ｃからは、複数個の回胴表示装置ユニット６に対して、前記切り欠き部７０を通り、回胴表示装置ユニット６に設けられたソケット９０３ａ、９０３ｂ、９０３ｃに接続される先端にソケット９０１ａ、９０１ｂ、９０１ｃを有する信号線９０ａが、それぞれ出力されている。前記ソケット９０３ａ、９０３ｂ、９０３ｃとソケット９０１ａ、９０１ｂ、９０１ｃとを結合することにより、制御装置ユニット８０１から回胴表示装置ユニット６に信号が供給される。
【００２１】
中継基板９２ｃに設けられたソケット９２０ａ、９２０ｂ、９２０ｃからは、回胴表示装置ユニット６に設けられたソケット９２２ａ、９２２ｂ、９２２ｃに接続される先端にソケット９２１ａ、９２１ｂ、９２１ｃを有する信号線９０ｂが、それぞれ出力されている。中継基板９２ｂに設けられたソケット９２４ｂ、９２４ｃからは、図示されていない液晶表示器へ信号線９０ｃが、ソケット９２４ａからは液晶表示器に使用される冷陰極管を点灯する線９０ｄが、それぞれ接続されている。遊技制御装置ユニット９００に設けられたソケット９００ａ、９００ｂからは、主制御基板８０５に設けられたソケット８０５ａへ信号線９０ｆが、中継基板９２ｂ、９２ｃに設けられたソケット９２４ｄ、９２０ｄへ信号線９０ｅ、９０ｇが、それぞれ接続されている。前記ソケット９０１ａ、９０２ａ、９０３ａおよびソケット９２１ａ、９２１ｂ、９２１ｃを外して、前述したようにワンタッチ式の止着装置６４ｂ、６４ａを引くことによって容易に回胴表示装置ユニット６を遊技ユニット８から取外せる。なお、中継基板９２ａ、９２ｃを用いずに、制御装置８０１から直接回胴表示装置ユニット６に設けられたソケット９０３ａ、９０３ｂ、９０３ｃ、９２２ａ、９２２ｂ、９２２ｃに接続するようにしてもよい。
【００２２】
このように、函体４２の背面に制御装置ユニット８０１を備えることにより、制御装置ユニット８０１が占める容積の分だけ回胴表示装置ユニット６の回胴表示面積を大きくでき、遊技者の視認性を向上できる。また、遊技ユニット８の背面に切り欠き部７０を形成することによって、回胴表示装置ユニット６と制御装置ユニット８０１との接続線の長さを短くでき、コストの低減と共に回胴表示装置ユニット６または制御装置ユニット８０１への、雑音の発生あるいは外部からの雑音の侵入を低減できる。更に、ソケット９０１ａ、９０２ａ、９０３ａとソケット９０３ａ、９０３ｂ、９０３ｃとを外して前述したようにワンタッチ式の止着装置６４ｂ、６４ａの押抜によって容易に回胴表示装置ユニット６の取りつけ、取外しが可能となり、組立、保守時の作業性が向上する。
【００２３】
図４、図５により遊技制御装置ユニット９００の取りつけ構造について説明する。図４に示すように、遊技制御装置ユニット９００は、遊技ユニット８の中枠１２に回転可動に固定されている側の函体４２の側部に配設されている。函体４２の側部には、遊技制御装置ユニット９００を着脱可能に固定する取りつけ溝３９（３９ａ、３９ｂ）を有するガイドレール３３（３３ａ、３３ｂ）が取りつけられている。該ガイドレール３３（３３ａ、３３ｂ）は、函体４２の側部に設けられた凸部３７（３７ａ、３７ｂ）と嵌合する孔３８（３８ａ、３８ｂ）をそれぞれ有し、略L宇状である。その先端には、遊技制御装置ユニット９００に取りつけられた、前記ガイドレール３３（３３ａ、３３ｂ）に滑入されるレール４０（４０ａ、４０ｂ）の先端に設けられたワンタッチ式の止着装置３５（３５ａ、３５ｂ）が嵌入する孔３４（３４ａ、３４ｂ）が、それぞれ形成されている。ガイドレール３３（３３ａ、３３ｂ）と函体４２の側部に設けられた凸部３７（３７ａ、３７ｂ）とは、ネジ止めなどの方法により固定されている。制御装置ユニット８０１は、函体４２の背面に設けられた孔８０３ａにワンタッチ式の止着装置８０３を挿入して函体４２に着脱可能に固定される。
【００２４】
遊技制御装置ユニット９００は、保護ケース４１により覆われ、前記レール４０（４０ａ、４０ｂ）は、遊技制御装置ユニット９００の保護ケース４１の反対側に設けられている。前記レール４０（４０ａ、４０ｂ）をガイドレール３３（３３ａ、３３ｂ）に形成された取りつけ溝３９（３９ａ、３９ｂ）に滑入し、前記ワンタッチ式の止着装置３５（３５ａ、３５ｂ）と孔３４（３４ａ、３４ｂ）とで遊技制御装置ユニット９００を函体４２の側部に着脱可能に固定する。遊技制御装置ユニット９００の前面は、函体４２の後部から見て右側面近くの取付枠８Ｃに形成された切り欠き孔４１1に嵌入されている。このことにより、スロットマシンの奥行きの長さを低減できると共に、遊技制御装贋ユニット９００の前面に設けられた、図示されていない、各種のランプなどを視認できる。遊技制御装置ユニット９００を函体４２の側部から着脱する時には、前記ワンタッチ式の止着装置３５（３５ａ、３５ｂ）を引くことにより、ガイドレール３３（３３ａ、３３ｂ）に沿って当該遊技ユニット８の背面から引き出すことができる。遊技制御装置ユニット９００を函体４２の側部に着脱可能に固定することによって、外枠９に対して一方の端を回転可動に固定してスロットマシン前面に同方向に片開き可能に取付けられている前枠および中枠を開くことにより、遊技制御装置ユニット９００を函体４２の側部から後方に引き抜くことができ、修理、交換を容易にする。
【００２５】
図６乃至図８により電源ユニット９１０の取りつけ構造について説明する。図６に示すように、函体４２の後部から見て左側面近くの取付枠８Ｃには切り欠き孔１０９が形成されている。電源ユニット９１０は、遊技ユニット８を片開きした時に遊技ユニット８の前面から制御パネル１１０を切り欠き１０９から操作、視認できるように遊技ユニット８の前面から見て右側（図７参照。）に配設され、図示されていないネジなどで中枠１２に固定されている（図８参照。）。制御パネル１１０は、遊技ユニット８を閉じたときに該遊技ユニット８によって覆われ、遊技者などにより悪意に操作できないように構成されている。
【００２６】
図7に示すように、制御パネル１１０には直流電源表示ランプ１０１、打ち止め設定スライドスイッチ１０２、自動精算設定スライドスイッチ１０３、確率設定押しボタン１０４、キースイッチ１０５、電源スイッチ１０６、ヒューズ１０７、交流電源表示ランプ１０８が設けられている。打ち止め設定スライドスイッチ１０２は、当該スロットマシンの打ち止め制限の有無を設定する押しボタンであり、通常は当該スロットマシンの遊技状態がリセットされると打ち止めありに設定される。自動精算設定スライドスイッチ１０３は、最大クレジット球数以下の時にクレジット球を貯留するか否かを設定する押しポタンであり、通常はクレジヅト球を貯留するように設定される。
【００２７】
キースイッチ１０５は、確率設定押しボタン１０４が確率変動条件を変更するスイッチとして作用する（オン状態）か、遊技中の条件をリセットするスイッチとして作用する（オフ状態）かを決定するスイヅチである。前記キースイッチ１０５がオン状態の時に確率設定押しボタン１０４を押下すると、確率変動条件が、例えぱ６段階に順次変更され、該変更された確率変動条件は、表示器９２、９３、９４、９５の何れかに表示される。前記確率設定押しボタン１０４により変更された確率変動条件は、例えばスタートレバースイッチ部５１を押下することで制御装置ユニット８０１に格納される。制御装置ユニット８０１に確率変動条件を格納した後に前記キースイッチ１０５をオフ状態に戻す。また、前記キースイッチ１０５がオフ状態の時に確率設定押しボタン１０４を押下あるいは制御装置ユニット８０１からリセット信号が送信されると、制御装置ユニット８０１に格納されている確率変動条件がリセットされる。なお、前記確率変動条件の変更は、確率設定押しボタン１０４とキースイッチ１０５との組み合わせにより行うようにしたが、これ以外の方法、例えば、確率設定押しボタン１０４のみで変更できるようにしてもよい。
【００２８】
このように、外枠９に対して一方の端を回転可動に固定されていない側に配設される電源ユニット９１０の制御パネル１１０が、遊技ユニット８を閉じたときに該遊技ユニット８によって覆われている。更に、該制御パネル１１０には、当該スロットマシン前面から調整可能な、少なくとも確率変動条件を変更する確率変動条件変更手段（確率設定押しボタン１０４とキースイッチ１０５）を備えていることにより、遊技場管理者は、確率変動条件の変更作業時に充分な作業空間を得ることができ、作業性が向上する。そして前記制御パネル１１０は、遊技ユニット８を閉じたときに該遊技ユニット８によって覆われるように作用し、遊技者などの悪意にょって容易に変更できない。
【図面の簡単な説明】
【００２９】
【図１】本発明の実施形態によるスロットマシンの分解斜視図である。
【図２】本発明の実施形態によるスロットマシンの組立斜視図である
【図３】本発明の実施形態によるスロットマシンの遊技ユニット８の後部斜視図（ａ）と切り欠き部７０近傍の拡大図（ｂ）である。
【図４】本発明の実施形態による遊技ユニットの後部分解斜視図である。
【図５】本発明の実施形態によるガイドレール３３（３３ａ、３３ｂ）を函体４２に取り付けた状態の、取りつけ溝３９（３９ａ、３９ｂ）とレール４０（４０ａ、４０ｂ）を説明する一部拡大図であって、（ａ）は取りつけ溝３９ａとレール４０ａ、（ｂ）は取りつけ溝３９ｂとレール４０ｂである。
【図６】本発明の実施形態による取付枠８Ｃの切り欠き孔１０９を説明する後部斜視図である。
【図７】本発明の実施形態による電源ユニット９１０の取りつけ状態を説明する前面斜視図である。
【図８】本発明の実施形態による本発明の実施形態による電源ユニット９１０の取りつけ状態を説明する背面斜視図である。
【図９】従来の遊技装置の前面斜視図である。
【符号の説明】
【００３０】
１  後部枠、２  前枠、６  回胴表示装置ユニット、６Ａ  液晶表示器、７  球取込装置、８  遊技ユニット、８Ｂ  遊技パネル取付枠、８Ｃ  取付枠、８Ａ  デザインパネル付き保護板、９  外枠、１２  中枠、３３（３３ａ、３３ｂ）  ガイドレール、４０（４０ａ、４０ｂ）  レール、４２  函体、７０  切り欠き部、１０４  確率設定押しボタン、１０５  キースイッチ、１１０  制御パネル、８０１  制御装置ユニット、８０５  主制御基板、３５ａ、３５ｂ、６４ａ、６４ｂ、８０ａ、８０３  ワンタッチ式止着装置、９００  遊技制御装置ユニット、９１０  電源ユニット
【図１】
2005168843.tif 000003
【図２】
2005168843.tif 000004
【図３】
2005168843.tif 000005
【図４】
2005168843.tif 000006
【図５】
2005168843.tif 000007
【図６】
2005168843.tif 000008
【図７】
2005168843.tif 000009
【図８】
2005168843.tif 000010
【図９】
2005168843.tif 000011